(57)【特許請求の範囲】
【請求項１】
光架橋可能な材料の架橋を開始するための光源（１１１）を備える光架橋装置（１００）であって、
前記光源（１１１）は、それぞれ所定の波長域の光を発する少なくとも２つの発光ダイオード（ＬＥＤ１〜ＬＥＤ４）を備え、前記少なくとも２つの発光ダイオードの前記波長域は、部分的に重なり合って、前記発光ダイオードのそれぞれの波長域よりも広い連続的な波長域をカバーし、
前記光架橋装置は、各発光ダイオードを選択的に起動するための起動手段（３００）をさらに備え、
各発光ダイオードを複数回逐次起動し、前記発光ダイオードに供給される電力を次第に減少させるための制御手段を備えることを特徴とする、光架橋装置。
【請求項２】
光架橋可能な材料の架橋を開始するための光源（１１１）を備える光架橋装置（１００）であって、
前記光源（１１１）は、それぞれ所定の波長域の光を発する少なくとも２つの発光ダイオード（ＬＥＤ１〜ＬＥＤ４）を備え、前記少なくとも２つの発光ダイオードの前記波長域は、部分的に重なり合って、前記発光ダイオードのそれぞれの波長域よりも広い連続的な波長域をカバーし、
前記光架橋装置は、各発光ダイオードを選択的に起動するための起動手段（３００）をさらに備え、
各発光ダイオードを所定の起動期間において逐次起動する制御手段を備え、最大の放射熱を発する発光ダイオードが前記起動期間の初めに起動され、最小の放射熱を発する発光ダイオードが前記起動期間の終わりに起動されることを特徴とする、光架橋装置。
【請求項３】
前記光源（１１１）は、それぞれ所定の波長域の光を発する少なくとも４つの発光ダイオード（ＬＥＤ１〜ＬＥＤ４）を備え、前記少なくとも４つの発光ダイオードの前記波長域は、部分的に重なり合って、前記発光ダイオードのそれぞれの波長域よりも広い連続的な波長域をカバーし、
前記少なくとも４つの発光ダイオードの発光スペクトルはそれぞれ、約４２０ｎｍ、４４０ｎｍ、４６０ｎｍ、および４８０ｎｍに中心があって、少なくとも４１０ｎｍから４９０ｎｍに及ぶ連続的な波長域をカバーすることを特徴とする、請求項１又は２に記載の光架橋装置。
【請求項４】
１つの電源（４００）から前記発光ダイオード（ＬＥＤ１〜ＬＥＤ４）のそれぞれに選択的に電力を供給するためのスイッチ手段（１１３０〜１１３３）を備えることを特徴とする、請求項１〜３のいずれか１項に記載の光架橋装置。
【請求項５】
前記発光ダイオード（ＬＥＤ１〜ＬＥＤ４）によって発せられた光放射を、処置対象の領域に導くおよび／または向けるための少なくとも１つの導波路（１１３）を備えることを特徴とする、請求項１〜４のいずれか一項に記載の光架橋装置。
【請求項６】
自立型電源（４０３）、幹線電源（４０２）、および歯科ユニット（４０１）のうちの少なくとも１つの電源から電力を受け取るのに適した接続手段（１２４）を備えることを特徴とする、請求項１〜５のいずれか一項に記載の光架橋装置。
【発明の詳細な説明】
【技術分野】
【０００１】
本発明は、特に歯科分野で利用される、充填用、復元(reconstitution)用、印象用、接着用、またはホワイトニング用の材料に含まれる光架橋可能な母材（matrices）を活性化するのに適した光架橋装置または機器に関し、この装置または機器は、光源と、照射されるべき領域に対して、光エネルギーを制御し、調節し、配向し、選択し、伝送するための光学的及び電子的な手段とを有する。
【背景技術】
【０００２】
材料の光架橋は、例えば重合中に起こる化学反応であって、材料を構成する高分子同士を永久的に結合させる化学反応である。それは、光放射を与えることによって引き起こされ、この光放射により、材料に含まれる光開始剤が、材料の構造を変える共有結合を生じさせることができ、これにより、材料の硬化や支持体への材料の接着といった、求められる物性を得ることができる。
【０００３】
光架橋の有効性は、第一に、光開始剤と、その光開始剤の、例えばポリマー鎖でのマクロラジカルの生成性能に依存する。それ故、材料中に存在する光開始剤の感光スペクトル内の波長で材料を照射できなければならない。しかし、例えば歯科分野で使用される光架橋可能な材料は、それらの成分に含まれる光開始剤と同様に、絶えず進歩しており、そのため考慮に入れる必要のある感度スペクトルが非常に多様化している。
【０００４】
施術者の必要を満たすためには、光架橋装置が、カンファーキノン（camphoroquinone）（ＣＱ）、フェニルプロパンジオン（ＰＰＤ）、ルシリン（lucirin）等の様々な光開始剤を含む材料を光架橋するのに適した広範な光スペクトルを発生させる必要がある。カンファーキノン、フェニルプロパンジオン、およびルシリンについて、感度スペクトルに対応する目標波長域は図１に示す通りである。
【０００５】
さらに、使用される材料のほとんどにおいて、この化学反応は、露光された領域の温度上昇を引き起こす発熱反応であり、この温度上昇が、組織自体による光エネルギーの吸収によって引き起こされる温度上昇に加わるため、温度上昇はさらに大きくなる。
【０００６】
歯科に利用可能な装置等の現存する装置は、二種類の光源、すなわち、
‐広範なスペクトルに及ぶ光放射を発して、それにより広範なスペクトルに関する課題に応える光源、または、
‐非常に狭い、さらに言えば単色のスペクトルの放射を発生させ、それにより放出されるエネルギーの量を制限して、露光された組織の加熱を制御する光源、
を利用している。
【０００７】
第１のカテゴリーの光源では、使用される光源は主に、ハロゲン電球、アークランプ（例えば、キセノンランプ）、または放電ランプを含んでいる。
【０００８】
その種類の光源は、非常に広範なスペクトルの光放射を発生させる。しかし、使用される光架橋可能な材料と相互作用するのに有用な放射という観点からは、そのような光源は、購入費と維持費とが高いにもかかわらず、効率が極めて低い。さらに、その種類の光源は、発生した熱を消散させるための能動冷却装置（強制対流）を伴う運転のために、大量のエネルギーを必要とする。従って、この種類の光源を用いて、電池または充電式バッテリーによって電力を供給される携帯機器を製作することは難しい。
【０００９】
さらに、それら広範なスペクトルの光源によって発せられる放射の無視できない部分が赤外線領域に存在し、処置中の組織（例えば、壊死部）に望ましくない熱的効果を与える可能性があり、その効果が、光架橋によって引き起こされる発熱反応の熱的効果に加わる。
【００１０】
結果的に、処置中の組織を赤外線放射に曝して傷つけることがないよう発せられる放射力を制限するために、複雑な光学フィルタシステムを備える必要がある。
【００１１】
第２のカテゴリーには、発光ダイオード（ＬＥＤ）を利用した装置が含まれる。この種類の光源は、（処置用の光架橋可能な材料に対応する範囲で）高効率のスペクトルを放出するという利点を有する、というのも、生成されるエネルギーの全てが開始されるべき化学反応に有用だからである。このような光源を用いた装置はまた、エネルギー消費が低く、従って、電池または充電式バッテリーにより構成された自立型の電源によって電力を供給されるのに適している。それらの容積は小さいので、小型でエルゴノミックな装置を得ることができる。結果的に、発光ダイオードは一般的に最適な透過性を有する透明な材料に封入されるので、この種類の光源とともに使用される光学装置は大幅に簡素化されうる。そのような材料はまた、生成された光エネルギーを集めて導くのに適した一体型光学装置の製作を可能にする形状を有するように成形される。
【００１２】
１つの発光ダイオードの発光スペクトルによってカバーされる波長域が狭いため（５０％以上の放射力について２０ナノメータ（nm）規模）、１つの発光ダイオードしか備えていない機器は、様々な異なる材料の光架橋を開始するのに十分な広さの発光スペクトルを提供できない。
【００１３】
この欠点を解消するために、既存の解決策は、発光ダイオードに供給されるエネルギー量を従来の公称値より大きくすることにある。それにより、ダイオードによって発せられる放射の強度が、ダイオードの発光スペクトルの限界部分にて高まり、ダイオードの有効発光スペクトルが広くなる。しかし、そのような場合には、放射の全体の強度が高まり、それによって患者にとって許容しがたい組織における温度上昇現象が生じる。
【００１４】
さらに、施術者は、使用している材料にどの光開始剤が含まれているかを常に知っているわけではない。従って、異なる発光スペクトルを有する発光ダイオードを備えた多様な機器を施術者が仮に有していたとしても、施術者はどの機器を使えばいいかわからない。
【発明の概要】
【発明が解決しようとする課題】
【００１５】
本発明の目的は、上記欠点を解消して、材料に含まれる光開始剤のスペクトル波長をカバーするのに適した広範な波長域をカバーすることを可能にする光架橋ランプまたは装置を提供し、そしてこのことを、能動冷却手段の使用を必要としない装置でエネルギーの消費を少なくし、かつ露光される組織の加熱を制御するために発せられるエネルギーの量を制限しながら行うことである。
【課題を解決するための手段】
【００１６】
この目的は、光架橋可能な材料の架橋を開始するための光源を備える光架橋装置を用いて達成され、当該装置において、上記光源は、それぞれ所定の波長域の光を発する少なくとも２つの発光ダイオードを備え、当該少なくとも２つの発光ダイオードの波長域は部分的に重なり合って、１つの発光ダイオードの波長域よりも広い連続的な波長域をカバーし、当該光架橋装置は、各発光ダイオードを選択的に、すなわち１つずつ起動するための起動手段をさらに備える。
【００１７】
このように、異なってはいるが重なり合う波長域をカバーする発光スペクトルを有する（複数の）発光ダイオードを用いることにより、広範な波長域全体をカバーすることができ、そして多数の光開始剤の架橋の開始を確実にすることができ、しかも目標波長を知る必要なくそうすることができる。
【００１８】
さらに、本発明の装置におけるそれぞれの発光ダイオードを選択的に起動することにより、例えばハロゲンランプ、アークランプ、または放電ランプを利用した光源と比べて、発せられる放射のパワーと消費されるエネルギーの量とが制限され、それと同時に（複数の）発光ダイオードの発光スペクトルを結合して構成される広範な波長域を完全に掃引する。
【００１９】
このような利点は、（複数の）ダイオードを同時に起動するのでは得られない。そのような場合には、光架橋装置は、全ての発光ダイオードに同時に電力を供給しつつ、発光ダイオードが同時に起動されている間に発生する熱の量を制限するための能動冷却手段にも動力を供給するために、各発光ダイオードに対して電力電子回路を備え、かつ高いエネルギーを供給できるようにしなければならない。
【００２０】
本発明の１つの側面では、光架橋装置は、１つの電源から発光ダイオードのそれぞれに選択的に電力を供給するためのスイッチ手段を備える。
【００２１】
本発明の別の側面では、光架橋装置は、発光ダイオードのそれぞれを所定時間内に少なくとも１回逐次起動するための制御手段を備える。これにより、少なくとも（複数の）発光ダイオードの発光スペクトルを結合して構成される広範な波長域の完全な掃引が確実になり、このことは、発光ダイオードの起動プログラムまたはプロフィールが完了前に中断された場合においても当てはまる。
【００２２】
本発明のまた別の側面では、光架橋装置は、各発光ダイオードを複数回逐次起動し、発光ダイオードに供給される電力を次第に減少させるための制御手段を備える。これにより、患者が感じる熱加重現象が緩和され、架橋対象の材料がさらされる熱ストレスが制限される。
【００２３】
本発明のさらに別の側面によれば、光架橋装置は、各発光ダイオードを所定の起動期間において逐次起動する制御手段を備え、最大の放射熱を発する発光ダイオードが起動期間の初めに起動され、最小の放射熱を発する発光ダイオードが起動期間の終わりに起動される。同様に、このような制御により、処置対象の領域への熱の供給がより良好に配分され、それによって患者の快適さが改善され、熱ストレスが制限される。
【００２４】
本発明の具体的な特徴によれば、上記装置は、４つの発光ダイオードを備え、この４つの発光ダイオードの発光スペクトルはそれぞれ、約４２０ｎｍ、４４０ｎｍ、４６０ｎｍ、および４８０ｎｍに中心があって、少なくとも４１０ｎｍから４９０ｎｍに及ぶ連続的な波長域をカバーし、この波長域であれば、カンファーキノン、フェニルプロパンジオン、ルシリン等の光開始剤を含む材料の架橋が開始される。
【００２５】
本発明の別の具体的な特徴によれば、上記装置は、発光ダイオードによって発せられた光放射を、処置対象の領域に導くおよび／または向けるための少なくとも１つの導波路をさらに備える。
【００２６】
本発明の具体的な側面によれば、上記装置は、自立型電源、幹線電源、および歯科ユニットのうちの少なくとも１つの電源から電力を受け取るのに適した接続手段をさらに備える。
【００２７】
本発明のその他の特徴および利点が、添付の図面を参照して、非限定的な例として提示される本発明の具体的な実施形態についての以下の説明から明らかとなる。
【図面の簡単な説明】
【００２８】
【図１】図１は、種々の光開始剤の感度スペクトルの例を示すグラフである。
【図２】図２は、本発明の１つの実施形態に係る光架橋機器の斜視図である。
【図３】図３は、本発明の１つの実施形態に係る光架橋機器の構成部材を示す分解斜視図である。
【図４】図４は、図３のＡＡにおける部分断面図である。
【図５】図５は、本発明の１つの実施形態に係る光重合装置のための電子制御回路のブロック図である。
【図６】図６は、４つの発光ダイオードの発光スペクトルを結合することによって得られた拡張波長域を示すグラフである。
【図７】図７は、本発明の光架橋機器に対して適用できる発光ダイオードを選択的に起動するためのプロフィールまたはプログラムの例を示す図である。
【図８】図８は、本発明の光架橋機器に対して適用できる発光ダイオードを選択的に起動するためのプロフィールまたはプログラムの例を示す図である。
【図９】図９は、本発明の光架橋機器に対して適用できる発光ダイオードを選択的に起動するためのプロフィールまたはプログラムの例を示す図である。
【発明を実施するための形態】
【００２９】
本発明は、所与の波長域（発光スペクトル）の光放射を光架橋可能な材料に行うための光架橋装置に関する。「光架橋可能な材料」という用語は、所与の波長の光放射を受けて分子構造が変化するあらゆる種類の材料、特には、材料に含まれる光開始剤を活性化し、材料の構造を変える共有結合を生じさせることによって分子構造が変化する材料（硬化、接着等）を意味するために用いられる。非限定的な例としては、光架橋可能な材料は、特に、充填用、復元用、印象用、または接着用材料等の硬化対象である複合材料、または、ホワイトニング剤等の活性化する必要のある材料であり得る。本発明は、特に歯科分野で使用される光架橋可能な材料に適用されるが、それだけには限らない。本発明は、化粧品分野等における表面コーティングを形成するための光架橋可能な材料にも適用される。
【００３０】
以下に詳述するように、光架橋装置は、それぞれ所定の発光ダイオードによって発せられる複数の波長域に対応する拡張波長域またはスペクトル帯を掃引するための手段を備え、１つの所定波長に対応する各ダイオードは単独で、すなわち、拡張スペクトル帯のうちの別の波長に対応する他のダイオードより先に、または後に起動される。
【００３１】
図２は、特に歯科分野で使用される複合物等の、復元用および印象用材料を光架橋するための、本発明の１つの実施形態に係る光架橋装置を示している。この装置は、取り外し可能で殺菌可能な光ガイド１をその先端に有するハンドピース６によって構成される。この装置はまた、電源コネクタを備えており、この電源コネクタは、取り外し可能な充電式バッテリー３、あるいは、幹線電源（alimentation reseau）または歯科用の椅子（fauteuil dentaire)に組み込み可能なモジュールの電源に対応する外部電源に接続され、外部電源の端部４が取り外し可能なバッテリー３の代わりに差し込まれる。オペレータインターフェース５は、予め記録された起動プロフィールまたはプログラムを選択し、表示する機能を果たす。起動は、起動トリガー（gachette de declenchement）２を用いて行われる。充電ベース７は、バッテリー３を充電する機能を果たす。この充電ベースは、発せられる光パワーを管理するための手段を備え、使用者が光学センサ８の挿入口（fenetre d'entree）に光ガイド１の先端部を挿入すると、発せられた光パワーの強度が、例えばディスプレイのスクリーン上に表示されるか、またはインジケータライト９によりアナログスケールで表示される。
【００３２】
図３は、例えば図２に示した装置のような、本発明の１つの実施形態に係る光架橋装置１００の構成部材を示している。光架橋装置１００は、４つの発光ダイオードＬＥＤ１、ＬＥＤ２、ＬＥＤ３、およびＬＥＤ４を備えた光源または光学ブロック１１１を有する前方部１１０を備え、４つの発光ダイオードはそれぞれ個別の所定の波長域の光を発する。
【００３３】
発光ダイオードＬＥＤ１〜ＬＥＤ４は、導波路１１３に連結されており、導波路１１３は、発光ダイオードＬＥＤ１〜ＬＥＤ４によって生成された光エネルギーを、活性化すべき光架橋可能な材料に対応する照射領域に向けて、導き、配向し、発する機能を果たす。導波路１１３と光学ブロック１１１とは部材１１４によって連結されており、導波路１１３は部材１１４の一端に取り外し可能に装着され、光学ブロック１１１は支持部材１１９に支持されて部材１１４の他端に装着されている。
【００３４】
導波路１１３は、融合光学ファイバー（fibres optiques fusionnees）、レンズ集合体（ensemble de lintilles)、光学材料製の剛体管、または液体光学ファイバーによって構成されてもよい。
【００３５】
導波路１１３は、エンドピース（embout）１１５によって部材１１４に結合され、案内される。エンドピース１１５は、図４に示すように、その内部に、発光ダイオードＬＥＤ１〜ＬＥＤ４によって発せられる放射の発散を低減する機能を果たし、ＬＥＤ１〜ＬＥＤ４を収めるための中央開口１１６ａを有するリフレクタ１１６を備える。
【００３６】
光架橋装置１００は、制御ユニット１２０に相当し、前方部１１０のすぐ下に位置する第２の部分を有する。この制御ユニット１２０は、ボード１２１を備え、このボード１２１は一方の面に動作・安全インジケータ１２２１を有するスクリーン１２２と制御キー１２３とを装備し、他方の面に電子制御回路を装備している（図１には示していない）。制御ユニットは、接続手段１２４を介して電源に接続され、この電源は、特には、充電式バッテリーを備える自立電源、または幹線に接続された外部電源、または、施術者の歯科ユニットで利用可能な局所電源により構成されてもよい。光学ブロック１１１の発光ダイオードＬＥＤ１〜ＬＥＤ４と光強度センサ１１８とは、電子制御回路に電気的に接続されている。
【００３７】
図５は、本発明の光架橋装置の１つの実施形態における電子制御回路３００のブロック図であり、この回路は、制御ユニット１２０の上述したボード１２１の一方の面に配置されている。
【００３８】
回路３００は、重合パラメータの全てを制御するようにプログラムされる中央処理装置（ＣＰＵ）ボード３０１（例えば、プログラミング可能なマイクロコントローラ）を備える。このボードは、不揮発性メモリ３０２（例えば、電気的消去可能読み取り専用メモリ（ＥＥＰＲＯＭ））を備え、この不揮発性メモリ３０２は、ダウンロードインターフェース３０６を介して選択可能で任意に変更可能なメニューの形で、適用される光架橋パラメータをメニュー毎に含む。本発明に係る具体的なメニューについては、後述する。
【００３９】
施術者は、液晶ディスプレイ（ＬＣＤ）のスクリーン１２２と、制御キー１２３とを用いて、提示されたメニューのうちの１つを選択し、トリガーまたはトリガーボタン２（図２を参照）を用いて光架橋サイクルを引き起こす。
【００４０】
ＣＰＵボード３０１は、光学ブロック１１１の発光ダイオードＬＥＤ１〜ＬＥＤ４の選択的起動を制御し、それらが放出するパワーを制御する。ＣＰＵボード３０１は、パルス幅変調（ＰＷＭ）直流／直流（ＤＣ／ＤＣ）コンバータ３０３のパラメータを設定してコンバータ３０３を制御し、それにより、ハンドピース内で発生する温度上昇を最小化する。電流レギュレータ３０４は、発光ダイオードＬＥＤ１〜ＬＥＤ４に供給されるエネルギーを常時サーボ制御する。
【００４１】
本発明に係る、広範なスペクトルを掃引するための発光ダイオードの選択的起動に関しては、ＣＰＵボード３０１がダイオードセレクタ３０５を介して各発光ダイオードＬＥＤ１〜ＬＥＤ４の起動を制御する。このダイオードセレクタ３０５は、ＣＰＵボードから受け取る制御信号に応じて、発光ダイオードのいずれか１つを起動する。ここで説明する実施形態では、発光ダイオードの選択的起動は、電流レギュレータ３０４の出力に接続されたトランジスタ１１３０〜１１３３を用いて実行され、トランジスタのＯＮ／ＯＦＦ状態はセレクタ３０５によって制御される。
【００４２】
回路３００は、接続手段１２４を介して、電源４００に接続されるが、電源４００は、歯科ユニット由来の電源４０１であっても、幹線等の外部電源４０２であっても、または、例えば誘導や接触等によって充電可能なＬｉイオン型、Ｎｉ−Ｃｄ型、またはＭｎＡｌ型バッテリー等のバッテリー４０３を用いた自立電源であってもよい。
【００４３】
ここで説明する例では、図６に示すように、４つの発光ダイオードＬＥＤ１〜ＬＥＤ４は、それぞれの発光スペクトルまたは波長域ＳｐＡ、ＳｐＢ、ＳｐＣ、ＳｐＤの光を発する。より正確には、ＬＥＤ１の発光スペクトルは波長４２０ｎｍに中心があり、ＬＥＤ２の発光スペクトルは波長４４０ｎｍに中心があり、ＬＥＤ３の発光スペクトルは波長４６０ｎｍに中心があり、ＬＥＤ４の発光スペクトルは波長４８０ｎｍに中心がある。これにより、４００ｎｍから５００ｎｍ（または、５０％以上の放射強度について４１０ｎｍ〜４９０ｎｍ）に及ぶ連続的な波長域がカバーされ、これにより、カンファーキノン（ＣＱ）、フェニルプロパンジオン（ＰＰＤ）、ルシリンといった光開始剤の目標波長スペクトルが少なくとも部分的にカバーされる。
【００４４】
図６に示すように、隣り合う発光スペクトル（すなわち、ＳｐＡとＳｐＢ、ＳｐＢとＳｐＣ、ＳｐＣとＳｐＤ）は部分的に重なり合って、ＬＥＤ１１２０によってカバーされる最初の波長からＬＥＤ１１２３によってカバーされる最後の波長まで連続的に広がる発光スペクトルまたは波長域全体をカバーする。
【００４５】
発光スペクトルは、好ましくは、各発光ダイオードによって発せられる放射の強度の５０％に実質的に対応する波長において重なり合う。これにより、少なくとも最低強度５０％を有する放射が、連続的な波長域の全体、ここでは４１０ｎｍから４９０ｎｍに及ぶ波長域にわたって確保される。
【００４６】
本発明によれば、発光ダイオードは、１つずつ選択的に起動される、すなわち、電力が供給される。この発光ダイオードの選択的起動は、様々な順番（発光ダイオード選択）で、一定または可変である発光ダイオードの電源パラメータに応じて実行され得る。
【００４７】
光架橋のための起動プログラムまたはプロフィールの例を以下に説明する。これら光架橋プロフィールは、電子制御回路３００のメモリ３０２における、ダウンロードされた、または予め記録されたメニューを用いて選択され得る。それぞれが「起動期間」と称される所定の期間に対応し、この期間において、ダイオードの所定の（周期的または非周期的）起動シークエンスが行われる。
【００４８】
図８は、光架橋プロフィールの第１の例を示しており、この例では、発光ダイオードＬＥＤ１〜ＬＥＤ４のそれぞれを逐次一定のパワーレベルで所定の時間（ここでは、１秒）内に起動する同一のシークエンスが、起動期間において数回（ここでは、１２回）繰り返される。このようなプロフィールによれば、４つの発光ダイオードの発光スペクトルによってカバーされる波長域全体が、１シークエンスごとに掃引される。従って、１シークエンス（ここでは、１秒間）終わっただけでプロフィールが中断された場合でも、連続的で広範な波長域で掃引される。
【００４９】
図７は、光架橋プロフィールの第２の例を示しており、この第２の例は、最後の数シークエンス（ここでは、最後の４シークエンス）中に発光ダイオードに供給される電力を次第に減少させる（発光ダイオードに供給される電源電流を減少させる）という点で、上述した第１の例と異なる。この起動プロフィールでは、発光ダイオードによって発せられる放射の熱を起動プロフィールの終盤に減少させ、これにより、露光された材料において起こる発熱性の架橋反応または重合反応に加えて生じるサイクルの終盤での温度上昇を制限する。例えば歯科分野において、材料を患者に取り付けて架橋させているとき、患者が感じる過度な温度上昇の刺激が低減され、このようにして患者の快適さが改善される。
【００５０】
図９は、光架橋プロフィールの第３の例を示しており、この例は、各シークエンスにおいて１つの発光ダイオードのみが起動される４つのシークエンスを含み、シークエンスの順番が、起動期間の初めに最も大量の放射熱を発するダイオードを起動し、起動期間の終わりに最も少量の放射熱を発するダイオードを起動するように定められている。これにより、露光された材料の発熱性の架橋反応または重合反応によって発生する熱に加えて生じるサイクルの終盤での過度な温度上昇が回避される。こうして、患者の快適さが改善される。
【００５１】
光架橋装置は、上述した実施形態に限定されない。特に、例えば一体型レンズを備えるモジュールに封入された発光ダイオードを使用する場合には、導波路の使用は必須ではない。
【００５２】
さらに、本発明の光架橋装置は、歯科分野で使用されるハンドピース等の可動機器に限定されない。特に、光架橋装置は、例えば爪用のコーティング等の光架橋の対象となる材料が配置される固定露光領域を形成している卓型装置（appareil de table）の形態であってもよい。
【図１】
0005977740.tif 000002
【図２】
0005977740.tif 000003
【図３】
0005977740.tif 000004
【図４】
0005977740.tif 000005
【図５】
0005977740.tif 000006
【図６】
0005977740.tif 000007
【図７】
0005977740.tif 000008
【図８】
0005977740.tif 000009
【図９】
0005977740.tif 000010